(57)【要約】【課題】記録紙が給紙ローラを離れる時の画像劣化を軽減でき、記録紙の印字保証領域を拡大できる。【解決手段】記録紙の有無を検知するセンサが有りから無しになったらＬＦモータの駆動パルス数をカウントし、この値から記録紙が給紙ローラを離れる位置を予測し、その位置の前で記録紙送りを停止させ、この状態から記録紙が給紙ローラを離れて更に排紙ローラにより記録紙送りが行われる量だけＬＦする手段を行う。以上の制御により、蹴飛ばしが発生する位置でＬＦが止まることを防ぐことが出来、位置が不定な状態で印字することを回避する。【選択図】        図１
2004160797.tif 000002
【特許請求の範囲】
【請求項１】
動作の制御を行うＣＰＵ、制御手順を格納したＲＯＭ、データを一時的に格納するＲＡＭ、記録紙の搬送を行う手段からなる記録装置において、
記録紙が給紙ローラを離れる位置を検知する手段を有することを特徴とする記録装置。
【請求項２】
上記請求項１の記録装置において、記録紙の有無を検知するセンサを用いて記録紙が給紙ローラを離れる位置を検知する手段を有することを特徴とする記録装置。
【請求項３】
上記請求項２の記録装置において、記録紙の有無を検知するセンサが、記録紙が有りから無しになった時からＬＦモータの駆動パルス数をカウントし、この値から記録紙が給紙ローラを離れる位置を予測する手段を有することを特徴とする記録装置。
【請求項４】
上記請求項３の記録装置において、記録紙が給紙ローラを離れる位置を予測し、この位置の前でＬＦ量を制御することを特徴とする記録装置。
【請求項５】
上記請求項４の記録装置において、記録紙が給紙ローラを離れる位置よりも１パルス以上前、且つ通常のＬＦ量以下の位置で記録紙送りが停止するように制御することを特徴とする記録装置。
【請求項６】
上記請求項５の記録装置において、記録紙が給紙ローラを離れる位置よりも前で停止している状態から、記録紙が給紙ローラを離れる位置から排紙ローラにより更に記録紙搬送が行われる量だけＬＦすることを特徴とする記録装置。
【請求項７】
上記請求項６の記録装置において、記録紙が給紙ローラを離れてからは排紙ローラが記録紙の搬送、及び位置の制御を行うことを特徴とする記録装置。
【発明の詳細な説明】
【０００１】
【発明の属する技術分野】
キャリッジの走査、記録紙送りすることにより記録を行う記録装置に関する。
【０００２】
【従来の技術】
シリアル記録装置において、給紙された記録紙が印字ヘッドの下でたわみ等が生じて、印字ヘッドと接触して記録紙を汚したり、記録ヘッドの走査を妨害することがある。この対策として、排紙ローラを記録ヘッドを挟んで給紙ローラとは反対側に設け、記録ヘッドの前後で記録紙を固定していた。更には、排紙ローラを給紙ローラに対して僅かに増速して記録紙にテンションをかけることで、記録紙のたわみを抑制していた。
【０００３】
しかしながら、常に記録紙にテンションがかかってるため、記録紙の後端が給紙ローラから離れる瞬間に排紙ローラ方向へはじけてしまい、正確な紙送りが出来ない。このため印字される画像に乱れが生じる。
【０００４】
従来はこの対策として、記録紙が給紙されて記録紙の先端が排紙ローラに到達するまでの間、及び記録紙の後端が給紙ローラを離れて記録ヘッド部を通過するまでの間は「印字可能領域」と称して「印字保証領域」と区別し、ユーザに対して「印字可能領域」での印字を推奨していなかった。
【０００５】
【発明が解決しようとする課題】
しかしながら、前記従来例では次のような問題点があった。
【０００６】
１．記録紙の印字保証領域が狭くなる。
【０００７】
２．近年スループット向上等のため、印字ヘッドのノズル数が増大し、印字ヘッドが巨大化している。これに伴い、上記の給紙ローラと排紙ローラの間隔も拡がり、「印字保証領域」は益々狭くなる。
【０００８】
本実施例では、上記問題点を解決する。
【０００９】
【課題を解決するための手段】
動作の制御を行うＣＰＵ、制御手順を格納したＲＯＭ、データを一時的に格納するＲＡＭ、記録紙の搬送を行う手段からなる記録装置において、記録紙が給紙ローラを離れる位置を検知する手段、記録紙の有無を検知するセンサを用いて記録紙が給紙ローラを離れる位置を検知する手段、記録紙の有無を検知するセンサが有りから無しになった時からＬＦモータの駆動パルス数をカウントし、この値から記録紙が給紙ローラを離れる位置を検知する手段、記録紙が給紙ローラを離れる位置を予測し、この位置の前でＬＦ量を制御する手段、記録紙が給紙ローラを離れる位置よりも１パルス以上前、且つ通常のＬＦ量以下の位置で記録紙送りが停止するように制御する手段、記録紙が給紙ローラから離れる位置よりも前で停止している状態から、記録紙が給紙ローラを離れて排紙ローラにより更に記録紙が行われる量だけＬＦする手段、記録紙が給紙ローラを離れてからは排紙ローラが記録紙の搬送、及び位置の制御を行う手段、を有する。
【００１０】
（作用）
記録紙が給紙ローラを離れる時の画像劣化を軽減でき、記録紙の印字保証領域を拡大できる。
【００１１】
【発明の実施の形態】
図１に本実施例の基本構成を示す。１０１は動作の制御を行うＣＰＵ、１０２は動作手順が格納してあるＲＯＭ、１０３はデータを一時的に格納するＲＡＭ、１０４は記録紙の有無を検知する手段、１０５は紙送りモータである。
【００１２】
図２は本発明の実施例にかかわる記録装置の構成例を示す。
【００１３】
図２において、２０５はカートリッジであり、記録ヘッドＨとインク供給源たるインクタンクとを一体としたものである。このヘッドカートリッジ２０５は、押さえ部材２０２によりキャリッジ２０６の上に固定されており、これらはシャフト２１１にそって長手方向に往復運動可能となっている。記録ヘッドより吐出されたインクは、記録ヘッドＨと微小間隔をおいて、プラテン２１０に記録面を規制された記録媒体２０９に到達し、画像を形成する。
【００１４】
記録ヘッドＨにはケーブル２０７及びこれに結合する端子を介して適宜のデータ供給源より画像データに応じた吐出信号が供給されるヘッドカートリッジは、用いるインク色等に応じて、１ないし複数個（図示例では２個）を設けることができる。２０８はキャリッジ２０６をシャフト２１１に沿って走査させるためのパルスモータ、２０３はモータ２０８の駆動力をキャリッジ２０６に伝達するためのワイヤである。また、２０１はプラテンローラ２１０に結合して記録媒体２０９を搬送させるためのフィードモータ、２０４はキャリッジ２０６の位置を検出するＨＰ（ポジション）センサである。
【００１５】
図３を用いて記録紙の蹴飛ばし発生の概略を説明する。
【００１６】
図３において、３０１は記録を記録ヘッド、３０２はプラテン、３０４は記録紙３０８の排紙を行う排紙ローラ、３０３は排紙動作を補助する拍車、３０５は記録紙３０８の給紙を行う給紙ローラ、３０６は給紙動作を補助するピンチローラ、３０７は記録紙の有無を検知するＰＥセンサである。
【００１７】
ＡＳＦ等に搭載されている記録紙は、印字の際、給紙ローラにより印字ヘッド３０１の位置まで搬送される。更にそのまま搬送され、排紙ローラに到達すると記録紙の先端部が排紙ローラ３０４と拍車３０３により固定され、排紙ローラ３０４と給紙ローラ３０５により両端を固定されている部分は均一な平面となり、高品位な印字を可能にする。更に、均一な平面をより確実なものにするために、給紙ローラの速度に対して排紙ローラの僅かに増速して、記録紙にテンションをかける。このとき、給紙ローラとピンチローラ間の圧力を拍車と排紙ローラ間の圧力より高くし、排紙ローラ側は常にスリップするようにすることで、記録紙の送りを給紙ローラで制御できる。
【００１８】
この構成に置いて、印字が進んで記録紙後端が給紙ローラから離れる瞬間を考察する。前述のように排紙ローラは給紙ローラに対して増速されているため記録紙には排紙ローラ方向へテンションがかかっている。通常は記録紙の一端が給紙ローラに固定されているため、記録紙の送りは給紙ローラに制限されるが、記録紙の後端が給紙ローラを離れると給紙ローラによる制限が無くなる。よって、記録紙の後端が給紙ローラを離れる瞬間は、排紙ローラにより生じているテンションにより排紙ローラ側へはじける。以後、これを蹴飛ばしと表現する。この蹴飛ばし量は不定であるが、排紙ローラ側のメカ的なガタ分以内である。
【００１９】
蹴飛ばし発生のタイミングと紙送りの関係を図４を用いて説明する。
【００２０】
図に置いて、横軸は給紙ローラを駆動するＬＦモータの駆動パルス数、縦軸は給紙ローラの回転量を示すＬＦ量である。本実施例では給紙ローラの駆動は、ＬＦモータの３パルス分を１ステップとしている。
【００２１】
１行印字を行う毎に給紙ローラは１ステップづつ駆動されるが、図では３ステップ目を駆動したところで給紙ローラから記録紙は離れ、蹴飛ばしが発生する。蹴飛ばし量は不定であるが、これは前述の通りメカのガタ分以内である。ここでメカのガタについて述べる。
【００２２】
排紙ローラはＬＦモータで駆動されるが、ＬＦモータはパルスモータを用いることで、励磁をしていれば停止状態でも保持できる。よってモータから排紙ローラまでの間のメカ的なガタが蹴飛ばし量となる。排紙ローラは給紙ローラに対して増速され、且つ記録紙に対する保持力は給紙ローラの方が高いので、排紙ローラは常に給紙ローラ側へ押しつけられている。この状態で記録紙の後端が給紙ローラから離れると、排紙ローラは給紙ローラの反対側へはじける。但しその量はＬＦモータの１パルス分以内となる。これは、排紙ローラもＬＦモータで駆動されており、ＬＦモータを励磁することで、１パルス分以上の蹴飛ばしは生じない。
【００２３】
以上が蹴飛ばし発生の概略である。
【００２４】
次に図５を用いた蹴飛ばしによる画像不良を防ぐ方法を述べる。
【００２５】
前述の通り蹴飛ばしは、給紙ローラのステップが、記録紙が給紙ローラを離れる瞬間に重なった場合であり、また蹴飛ばし量はＬＦモータの１パルス分以内である。よって、蹴飛ばしが発生しても更に排紙ローラにより記録紙が搬送されれば、排紙ローラのガタは一方向に安定するため、位置の制御が可能となる。このことから、給紙ローラのステップ中に蹴飛ばしが生じ、且つ更に排紙ローラにより搬送される様にすれば、蹴飛ばしによる位置不定の状態を無くすことが出来る。
【００２６】
図５にこの制御の概略を示す。
【００２７】
図４と同様に横軸はＬＦモータのパルス数、縦軸はＬＦ量である。通常のＬＦ量をＬＦモータの３パルス分とすると、図では３ステップ駆動したところで蹴飛ばしが発生する。しかし３ステップ目の駆動を２パルスとすると、４ステップ目を駆動中に蹴飛ばしの発生、及び蹴飛ばし発生後に排紙ローラによる搬送が行われ、蹴飛ばしによる位置不定の状態を無くすことが出来る。
【００２８】
本制御を行うためには蹴飛ばし発生位置の予測が必要であるが、前述の通り蹴飛ばしは給紙ローラを離れる瞬間に生じるから、記録紙の後端が給紙ローラを離れる位置を検知すればよい。通常シリアル記録装置では記録紙の有無を検知するためのＰＥセンサが設置されており、これを用いれば予測が可能である。ＰＥセンサの位置と給紙ローラの位置はメカ的に固定であるから、両者間の距離は固定である。よってＰＥセンサが記録紙無しを検知、即ち記録紙の後端を検知してから記録紙の後端が給紙ローラを離れる位置に到達するまでのパルス数を管理することで、蹴飛ばしが発生する位置を予測できる。
【００２９】
図６に本実施例のフローチャートを示す。
【００３０】
まず、後端を検知してからの制御で用いるカウンタＣＯＮＴをクリアする（６０２）。印字命令がきたらＰＥセンサが記録紙を検知するまでＬＦを行う（６０３，６０４）。記録紙を検知したら（６０４）、更にヘッド部まで搬送する（６０５）。この量は、ＰＥセンサからヘッド部までの距離は固定であるから、予めＲＯＭ１０２に記憶しておけばよい。ヘッド部まで記録紙が到達したら、１行印字と通常量の紙送り（６０６，６０７）を、ＰＥセンサが記録紙の後端を検知（６０８）するまで行う。記録紙の後端を検知しても記録ヘッド部分には記録紙は存在するので、さらに印字を行う。このとき、蹴飛ばし発生位置を予測するために、カウンタＣＯＮＴを印字を行う毎にカウントアップする（６０９）。カウンタＣＯＮＴがＣＯＮＴｅｎｄに達したら（６１０）次のステップで蹴飛ばしが発生すると判断し、一行印字を行ってから蹴飛ばし発生位置を通り過ぎ更に排紙ローラにより搬送される量のＫＴＢだけ搬送する。以後は印字が終了するまで印字を行う（６１３，６１４）。
【００３１】
なお以上の制御において、画像をシフトして印字ヘッド中の使用するノズルを変更して記録紙の送りの精度を確保する等の後端処理を行っても、同様である。
【００３２】
更に、本実施例では蹴飛ばし発生位置の予測をＰＥセンサを用いて行ったが、専用のセンサを用いる等しても同様である。
【００３３】
以上の制御を行うことで、記録紙が給紙ローラを離れる時の画像劣化を軽減でき、記録紙の印字保証領域を拡大できる。
【００３４】
【発明の効果】
記録紙が給紙ローラを離れる時の画像劣化を軽減でき、記録紙の印字保証領域を拡大できる。
【図面の簡単な説明】
【図１】本発明の基本構成を示すブロック図である。
【図２】本発明に係わるシリアル記録装置の構成例を示す図である。
【図３】実施例の構成の概要を示す図である。
【図４】実施例の動作の概要を示す図である。
【図５】実施例の動作の概要を示す図である。
【図６】実施例のフローチャートを示す図である。
【図１】
2004160797.tif 000003
【図２】
2004160797.tif 000004
【図３】
2004160797.tif 000005
【図４】
2004160797.tif 000006
【図５】
2004160797.tif 000007
【図６】
2004160797.tif 000008